(57)【特許請求の範囲】
【請求項１】
ディスクのプリグルーブに予め記録されている絶対時間アドレスを読み出し、この読み出しアドレスを利用してディスクに記録データを記録するディスク記録装置であって、
ディスクに形成されたプリグルーブに基づいて生成される絶対時間アドレスをｘ、記録密度の倍率をｎ、記録開始アドレスをｍとした場合に、ｙ＝ｎ（ｘ−ｍ）＋ｍで計算されるｙを記録アドレスとして、ディスクに記録データを記録するディスク記録装置。
【請求項２】
請求項１に記載の装置において、
前記ｙの値を記録データのサブコードフレーム内に書き込むディスク記録装置。
【請求項３】
請求項１または２に記載の装置において、
前記ｎ，ｍの値を、ディスクに記録するディスク記録装置。
【請求項４】
請求項３に記載の装置において、
前記ｎ，ｍの値をディスクのＴＯＣ領域に書き込むディスク記録装置。
【請求項５】
請求項３に記載の装置において、
前記ｎ，ｍの値を記録する記録データの最初のトラックのプリギャップに書き込むディスク記録装置。
【請求項６】
請求項１〜５のいずれか１つに記載の装置において、
前記倍率ｎは、外部から供給されることを特徴とするディスク記録装置。
【請求項７】
ディスクに形成されたプリグルーブに予め絶対時間アドレスが記録されており、ディスクに形成されたプリグルーブに基づいて生成される絶対時間アドレスをｘ、記録密度の倍率をｎ、記録開始アドレスをｍとした場合に、ｙ＝ｎ（ｘ−ｍ）＋ｍで計算されるｙを記録アドレスとして、記録データが記録されたディスク。
【発明の詳細な説明】
【０００１】
【発明の属する技術分野】
高密度でデータを記録するディスク記録装置およびこれにより記録されたディスクに関する。
【０００２】
【従来の技術】
従来より、ＣＤ（コンパクトディスク）ファミリーのものとして、書き込みが可能なＣＤ−Ｒ（ＣＤレコーダブル）、ＣＤ−ＲＷ（ＣＤリライタブル）があり、これらディスクではユーザにおいてデータの書き込みが行える。
【０００３】
このために、ＣＤ−Ｒ、ＣＤ−ＲＷにおいては、情報の記録用のガイドとして、プリグルーブが形成されている。このプリグルーブは、所定のＦＭ変調されたウォブリングを含んでおり、ウォブリング周波数を復調することで、絶対時間情報であるＡＴＩＰ（プリグルーブ内絶対時間：Absolute Time In Pregroove）が得られる。そこで、このＡＴＩＰを利用して、データの記録が行われる。
【０００４】
また、ＣＤでは、記録情報中のサブコード内に、１セクタ毎に現在時間情報を示す時間コードが記録されている。そこで、再生時には、このサブコード内の現在時間情報を参照して正しいスピードで再生が行われる。
【０００５】
このように、ＣＤ−Ｒ、ＣＤ−ＲＷを利用すれば、データの書き込みを行うことができ、また記録容量がフロッピーなどに比べて大きい。さらに、音楽ＣＤなどは通常のＣＤプレーヤにおいても再生が可能である。そこで、ＣＤが大容量の記憶媒体として広く普及している。
【０００６】
【発明が解決しようとする課題】
ここで、ＣＤは、記録容量として６５０ＭＢが標準である。一方、記録容量をできるだけ増加したいという要求がある。記録媒体には各種のものがあり、他の形式のものを利用すれば、より多くの情報を記録することも可能である。しかし、ＣＤを利用しつつ、その記録容量を増加したいという要求もある。
【０００７】
本発明は、上記課題に鑑みなされたものであり、記憶容量を増加することができるディスク記録装置およびディスクを提供することを目的とする。
【０００８】
【課題を解決するための手段】
本発明は、ディスクのプリグルーブに予め記録されている絶対時間アドレスを読み出し、この読み出しアドレスを利用してディスクに記録データを記録するディスク記録装置であって、ディスクに形成されたプリグルーブに基づいて生成される絶対時間アドレスをｘ、記録密度の倍率をｎ、記録開始アドレスをｍとした場合に、ｙ＝ｎ（ｘ−ｍ）＋ｍで計算されるｙを記録アドレスとして、ディスクに記録データを記録する。
【０００９】
このように、プリグルーブからの絶対時間に対し、所望の倍率でデータの記録が可能であり、高密度記録が可能になる。すなわち、通常と同様のプリグルーブが形成されたＣＤ媒体に対し、高密度記録が可能になる。
【００１０】
また、前記ｙの値を記録データのサブコードフレーム内に書き込むことが好適である。これによって、再生時に実時間を認識することができる。
【００１１】
また、前記ｎ，ｍの値を、ディスクに記録することが好適である。これによって、再生時に記録密度を認識することができる。
【００１２】
また  前記ｎ，ｍの値は、ディスクのＴＯＣ領域や記録する記録データの最初のトラックのプリギャップに書き込むことが好適である。
【００１３】
また、本発明に係るディスクは、ディスクに形成されたプリグルーブに予め絶対時間アドレスが記録されており、ディスクに形成されたプリグルーブに基づいて生成される絶対時間アドレスをｘ、記録密度の倍率をｎ、記録開始アドレスをｍとした場合に、ｙ＝ｎ（ｘ−ｍ）＋ｍで計算されるｙを記録アドレスとして、記録データが記録されたことを特徴とする。
【００１４】
【発明の実施の形態】
以下、本発明の実施の形態（以下実施形態という）について、図面に基づいて説明する。
【００１５】
図１は、実施形態のディスク記録装置を含む全体システムを示す図である。ディスク１０からの反射光は光学ヘッドにより読みとられ、読みとり信号はサンプルホールド回路１２を介し、ＲＦ回路１４に供給される。ＲＦ回路１４は、読みとり信号に対し、増幅、波形整形など処理を行い、ＰＬＬ回路１６に供給する。ＰＬＬ回路１６は、読みとり信号からクロックを再生し、デコーダ１８に読みとり信号およびクロックを供給する。そこで、デコーダ１８は、読みとり信号からクロックを利用してエンコードデータを取り出すとともに、所定のデコード行い、データを再生する。再生されたデータは、ＤＲＡＭ２０に送られ、ここに記憶される。なお、デコーダ１８における処理おいても、ＤＲＡＭ２０を記憶領域として利用する。
【００１６】
この再生データは、インタフェース２２、通信ライン２４を介し、コンピュータ２６に供給される。
【００１７】
また、サンプルホールド回路１２の出力は、ＡＴＩＰ回路３０に供給され、ここでウォブリング周波数の信号が選択され、これがウォブルサーボ回路３２に供給される。ウォブルサーボ回路３２は、ウォブリング周波数に基づいて、スピンドルモータの回転制御のための制御信号を発生し、モータドライバ３４に供給する。さらに、サンプルホールド回路１２の出力は、サーボ回路３６にも供給され、ここで光学ヘッドの位置制御のための制御信号が発生され、これもモータドライバ３４に供給される。
【００１８】
モータドライバ３４は、モータアクチュエータ３８を介し、スピンドルモータおよびヘッド駆動モータを制御し、読みとり信号に応じたスピンドルモータ回転数およびヘッド位置の制御が行われる。
【００１９】
ディスク１０にデータを書き込む場合には、コンピュータ２６からの書き込みデータは、通信ライン２４、インタフェース２２を介し、ＤＲＡＭ２０に書き込まれる。そして、ＤＲＡＭ２０から読み出されたデータは、エンコーダ４０に供給され、サブコードや、エラー訂正コードの付加や、インターリーブなどの各種のデータ処理を受け、ストラテジー回路４２に供給される。ストラテジー回路４２は、供給されるデータをパルス信号に変換し、ＬＤドライバ４４に供給する。そこで、ＬＤドライバ４４が書き込み用の発光素子を駆動して、データをディスク１０に書き込む。
【００２０】
ここで、書き込みデータは、所定のフォーマット、密度でディスク１０に書き込まなければならない。そこで、書き込みの際に、ＡＴＩＰ回路３０の出力がウォブルデモジュレータ４６に供給され、ここでウォブル信号が復調される。そして、この復調されたウォブル信号がＡＴＩＰデコーダ４８に供給され、ここで絶対時間情報であるＡＴＩＰ情報がデコードされる。すなわち、ディスク１０のプリグルーブに予め書かれているディスクにおける絶対時間情報がこのＡＴＩＰデコーダ４８において得られる。
【００２１】
ここで、このＡＴＩＰデコーダ４８において得られたＡＴＩＰ情報をそのままエンコーダ４０に供給すれば、エンコーダはＡＴＩＰ情報に基づいて記録アドレスを生成し、その記録アドレスに従って、エンコードデータをストラテジー回路４２、ＬＤドライバ４４を介し発光素子に供給し、データを書き込むことができる。これによって、予めプリグルーブに記録されているＡＴＩＰに同期したデータ書き込みが行われる。従って、このようにして書き込まれたデータは通常通り読み出すことができる。なお、エンコーダ４０によるエンコード処理に際しては、ＤＲＡＭ２０を一時記憶エリアとして利用する。
【００２２】
しかし、本実施形態の装置では、ＣＰＵ５０が記録アドレスを演算算出し、算出された記録アドレスに従って、エンコーダ４０が書き込みデータを作成する。
【００２３】
すなわち、ＡＴＩＰ情報に基づいて得られた絶対時間をｘとした場合に、ｙ＝ｎ（ｘ−ｍ）＋ｍにより、記録アドレスｙを算出する。ここで、ｎは記録密度についての倍率であり、１．５倍の記録密度であれば１．５である。また、ｍは記録開始アドレスであり、前回の記録データに基づいて決定される。
【００２４】
これによって、エンコーダ４０においては、サブコード中のディスク時間にｙを挿入してデータを作成する。作成されたデータに基づきディスク１０への書き込みが行われるが、この場合、ＡＴＩＰ情報の絶対時間ｘに基づいた単位時間当たりにｎ倍のデータが書き込まれ、ディスク１０への書き込み密度はｎ倍になる。
【００２５】
このためには、データの書き込みスピード（エンコーダ４０におけるデータ転送スピード）をｎ倍にする方法と、ディスクの回転スピードを１／ｎにする方法がある。また、この両者の方法を行い、トータルとしての記録密度をｎ倍にすることも好適である。例えば、データ書き込みスピードを１．２倍とし、スピンドル回転数を１／１．２５倍にすることで、記録密度自体は１．５倍になる。
【００２６】
例えば、ＣＰＵ５０が、予めテーブルを持っており、コンピュータ２６から供給される記録密度の倍率データに応じて、スピンドル回転数およびエンコーダ４０からのデータ転送速度を決定し、これについて信号をウォブルサーボ回路３２およびエンコーダ４０に送り、スピンドル回転数および書き込みスピードを制御するとよい。
【００２７】
なお、書き込み密度を上昇するために、読みとり可能な範囲内で、通常の場合に比べ書き込みスポット径を小さくすることも好適である。
【００２８】
さらに、このような高密度書き込みを行う場合には、ｍ，ｎという高密度記録におけるパラメータの値をディスク１０に書き込んでおくことが好適である。例えば、これらパラメータの値をＴＯＣ（目次）領域に書き込んでおく。これによって、目次情報の読み出しの際に記録データの記録密度を知ることができる。また、書き込みの最初のトラックのプリギャップ内にこれらパラメータの値を書き込むこともできる。これによっても、読み出し開始前の記録密度を確認することができる。
【００２９】
これによって、ディスク１０を再生する際に、記録されているｍ，ｎについてのデータを参照して、高密度記録のデータを読み出すことができる。すなわち、ディスク１０から、記録データを読み出す場合には、まずＴＯＣ領域やプリギャップに記憶されているデータからこれから読み出すデータが高密度記録データか否かを判定する。そして、ｍ，ｎについてのデータがデコーダ１８に得られた場合には、これらの値はＣＰＵ５０に供給される。ＣＰＵ５０は、これから読み出すデータが高密度記録データであることを認識し、ＡＴＩＰ情報と実データ位置の関係を把握する。そして、ＰＬＬ回路１６を制御し周波数の引き込みを早期に確立できるように制御し、デコーダ１８におけるデコードも情報量に応じて制御する。
【００３０】
なお、ＣＰＵ５０は得られたｍ，ｎの値に基づいて、ウォブルサーボ回路３２を制御し、スピンドル回転数を制御することもできる。これによって、読みとりデータのクロックを通常と同様のものとすることもできる。
【００３１】
また、再生時には、サブコードに書かれている実記録アドレスｙを参照することができるため、これより現在時間を正確に知ることができる。これによって、正しいスピードでの再生が行える。
【００３２】
このように、本実施形態によれば、読み出されたＡＴＩＰから記録密度に応じて実記録アドレスを算出して、記録する。従って、一般に使用されているＣＤ−Ｒ、ＣＤ−ＲＷに対し高密度記録が行える。また、書き込み開始アドレスを特定して、高密度記録を開始するため、任意の位置から高密度記録を開始することができ、また記録の度に密度を変更することも可能である。
【００３３】
さらに、上述の実施形態では、記録密度を変更するだけで、記録データの変調方法やフォーマット等は、変更しなかった。しかし、変調方式や誤り訂正コードを変更して記録密度を上げることも好適であり、このような圧縮方法を合わせて利用することで、より高密度の記録が達成できる。この場合には、圧縮方法についてのコードなどをＴＯＣ領域や最初の記録トラックのプリギャップに記録しておき、再生時はこのデータに従ってデコード方式を変更する。
【００３４】
この場合においても、空のＣＤに形成するプリグルーブ自体は従来通りでよく、同一のＣＤを各種の記録密度で利用することができる。
【００３５】
なお、ＣＤ自体は、高密度記録に対応できる精度が高い媒体である必要がある。また、上述の説明では、光学的な記録媒体のみを採用したが、光磁気ディスクなどにも応用することができる。
【００３６】
【発明の効果】
以上説明したように、本発明によれば、プリグルーブからの絶対時間に対し、所望の倍率でデータの記録が可能であり、高密度記録が可能になる。すなわち、通常と同様のプリグルーブが形成されたＣＤ媒体に対し、高密度記録が可能になる。
【００３７】
また、前記ｙの値を記録データのサブコードフレーム内に書き込むことで、再生時に実時間を認識することができる。さらに、ｎ，ｍの値を記録データとともに、ディスクに記録することで、再生時に記録密度を認識することができる。
【００３８】
また、上述のような高密度記録によりデータ容量の大きなディスクが得られる。
【図面の簡単な説明】
【図１】  システムの全体構成を示す図である。
【符号の説明】
１０  ディスク、１８  デコーダ、２０  ＤＲＡＭ、３２  ウォブルサーボ回路、４６  ウォブルデモジュレータ、４８  ＡＴＩＰデコーダ、５０  ＣＰＵ。
【図１】
0003869638.tif 000002